(57)【特許請求の範囲】
【請求項１】
所定のインターネットファクシミリ方式に準じる第１種別の端末および前記インターネットファクシミリ方式に準じない第２種別の端末のそれぞれに宛てて電子メールを利用して画像転送を行うものであって、
前記インターネットファクシミリ方式に準じ、かつ所定の能力情報の通知を画像転送宛先の端末に対して要求する第１モードにて画像転送を行う第１転送手段と、
前記インターネットファクシミリ方式に準じ、かつ前記能力情報の通知を画像転送宛先の端末に対して要求しない第２モードにて画像転送を行う第２転送手段と、
前記インターネットファクシミリ方式に拘わらない所定方式にて画像転送を行う第３転送手段とを有した画像転送装置において、
過去に行った画像転送にて宛先として指定されたメールアドレスおよびその画像転送先の端末の種別を示す種別情報を互いに対応付けてなる履歴情報を記憶する履歴記憶手段と、
前記メールアドレスに対応付けて前記能力情報を記憶するための能力情報記憶手段と、
前記能力情報の取得を行うべき条件の指定を受け付ける指定受付手段と、
画像転送宛先として前記履歴記憶手段に記憶された前記履歴情報が指定された場合に、その指定された履歴情報に含まれる前記種別情報が前記第１種別を示す場合、前記指定受付手段により受け付けられた指定により示された条件が成立するならば前記第１転送手段に、また前記指定受付手段により受け付けられた指定により示された条件が成立しないならば前記第２転送手段に、また前記画像転送宛先として指定された履歴情報に含まれる前記種別情報が前記第２種別を示す場合には前記第３転送手段にそれぞれ画像転送を実行させる転送方法選択手段とを具備したことと特徴とする画像転送装置。
【発明の詳細な説明】
【０００１】
【発明の属する技術分野】
本発明は、例えばスキャナにより原稿を読み取って得られる画像を、ネットワークを介して他のインターネットファクシミリ端末に対して所定のインターネットファクシミリ方式で転送する機能と、上記画像を添付した電子メールをインターネットファクシミリ方式に拘わらずにネットワークを介して他のコンピュータ端末などの任意の端末へと転送する機能とを備えた画像転送装置に関する。
【０００２】
【従来の技術】
遠隔地と画像を通信する方法としては、ＰＳＴＮ（Public Switched Telephone Network）やＩＳＤＮ（Integrated Services Digital Network）を利用したディジタル複合機が一般的である。この種のディジタル複合機は、操作が容易なことと、相手が不在であっても用件を伝えることができるために、ビジネス分野ばかりではなく家庭にも広く普及している。
【０００３】
ＰＳＴＮやＩＳＤＮを利用したファクシミリの通信規格はＩＴＵ（International Telecommunication Union）によってＧ３ファクシミリやＧ４ファクシミリとして標準勧告されている。
【０００４】
このような従来のファクシミリの利点は、直接受信側のファクシミリとの間に通信回線を確保することにより、通信回線の帯域幅の許容する最速の通信速度でデータが転送できること。直接相手と通信することで、データが確実に伝わったことを確認できること。あるいは送信するデータ形式が受信側の許容できる形式であるかの確認を行う能力ネゴシエーションを行うために、確実にデータを伝えることができることなどである。
【０００５】
一方、インターネットが一般化するにつれ、従来の回線交換ネットワークの代わりにインターネットを利用するサービスが盛んになってきた。
【０００６】
特に伝送距離やデータ量が大きい場合には、インターネットを介して送信する方が通信コストを低く抑える事ができるので、インターネットを介しての画像の送受信を行う機能を、通常のディジタル複合機が有する機能に加えて備えたインターネットディジタル複合機が登場している。
【０００７】
そしてこの種のインターネットディジタル複合機は一般に、画像データを電子メールの添付ファイルとしてインターネット上を伝送する。このため、画像データの転送はコネクションレスで行われるのであって、Ｇ３ファクシミリやＧ４ファクシミリで行っているようなネゴシエーションは行えず、いわば送信側が一方的に画像を送りつける通信形態がとられている。
【０００８】
具体的には、インターネットファクシミリ方式では、シンプルモードとフルモードとの２つのモードが規定されている。
【０００９】
シンプルモードは、画像データのファイル形式がＴＩＦＦ形式、解像度が「fine」または「standard」、サイズがＡ４、そして圧縮方式がＭＨとそれぞれ固定された既定条件のみでの画像転送が可能なものであり、この既定条件に準じた画像データを添付した電子メールを送信側から受信側へと転送する。
【００１０】
上記既定条件に準じた画像データを処理する機能はインターネットファクシミリ端末の必須であって、シンプルモードで転送されてくる画像データを受信したインターネットファクシミリ端末ではこの画像データを確実に処理することが可能である。そこでシンプルモードでは、送信側から受信側への完全な一方向の通信のみとし、各種通知などは一切行わない。
【００１１】
フルモードは、転送する画像の条件に制限がなく、解像度、画質（白黒／モノクロ多階調／カラーなど）、サイズ、圧縮方式などが任意に選択できる。しかしながら、前述のようにＧ３やＧ４などのようなネゴシエーションを行わないのはこのフルモードの場合も同様であり、いかなる条件の画像を転送するかは送信側の事情によってのみ決められる。
【００１２】
このためフルモードの場合には、受信側にて転送されてきた画像データを処理できない場合も生じ、このような場合には通信エラーとなってしまう。しかしながらフルモードにおいては、画像受信側の端末が受信結果や自己の能力を示す能力情報を示した電子メールを画像送信側の端末に宛てて返信するよう設定可能に規定されていて、画像送信側ではこの電子メールの情報に基づいて以後において適切な処置をとることが可能となる。
【００１３】
ところで以上のようにインターネットファクシミリでは電子メールを利用した画像転送を行うのであるから、送信先の端末がインターネットファクシミリ端末では無くても、電子メールを受信する機能を有しているので有ればパーソナルコンピュータなどのようなコンピュータ端末においても画像転送を受けることが可能である。すなわち、原稿を読み取って得られた画像を他のコンピュータ端末へと転送するネットワークスキャナとしての機能を容易に兼ね備えることができるのである。
【００１４】
【発明が解決しようとする課題】
しかしながら、このようなネットワークスキャナとして使用するのであれば、シンプルモードにおける画像条件の制限は使い勝手の低下につながる。またコンピュータ端末がインターネットファクシミリ端末としての機能をエミュレートする機能を有しているのでなければ、コンピュータ端末はフルモードにおける手順を遂行する機能を有していないのであるから、コンピュータ端末を画像転送先とするならばフルモードを使用することはできない。
【００１５】
このようなことから、インターネットファクシミリとしての画像転送とネットワークスキャナとしての画像転送との双方の機能を兼ね備えるならば、転送先がインターネットファクシミリ端末であるのか、それともコンピュータ端末であるのかをユーザに指定して貰わなければならない。
【００１６】
さらにインターネットファクシミリとしての画像転送の際には、送信先の端末の能力情報を通知することを要求する機能があり、この機能を使用するか否かもユーザの指定に応じて決められる。
【００１７】
このようなことから、ユーザは多岐に渡る通信条件を指定しなければならないのであり、ユーザの負担が非常に大きく使い勝手の低下を来していた。
【００１８】
本発明はこのような事情を考慮してなされたものであり、その目的とするところは、適切な条件を自動判定し、その条件での画像転送を自動的に行うことでユーザの負担を大幅に軽減することができる画像転送装置を提供することにある。
【００１９】
【課題を解決するための手段】
以上の目的を達成するために本発明は、所定のインターネットファクシミリ方式に準じる第１種別の端末および前記インターネットファクシミリ方式に準じない第２種別の端末のそれぞれに宛てて電子メールを利用して画像転送を行うものであって、前記インターネットファクシミリ方式に準じ、かつ所定の能力情報の通知を画像転送宛先の端末に対して要求する第１モードにて画像転送を行う第１転送手段と、前記インターネットファクシミリ方式に準じ、かつ前記能力情報の通知を画像転送宛先の端末に対して要求しない第２モードにて画像転送を行う第２転送手段と、前記インターネットファクシミリ方式に拘わらない所定方式にて画像転送を行う第３転送手段とを有した画像転送装置において、過去に行った画像転送にて宛先として指定されたメールアドレスおよびその画像転送先の端末の種別を示す種別情報を互いに対応付けてなる履歴情報を記憶する履歴記憶手段と、前記メールアドレスに対応付けて前記能力情報を記憶するための能力情報記憶手段と、前記能力情報の取得を行うべき条件の指定を受け付ける指定受付手段と、画像転送宛先として前記履歴記憶手段に記憶された前記履歴情報が指定された場合に、その指定された履歴情報に含まれる前記種別情報が前記第１種別を示す場合、前記指定受付手段により受け付けられた指定により示された条件が成立するならば前記第１転送手段に、また前記前記指定受付手段により受け付けられた指定により示された条件が成立しないならば前記第２転送手段に、また前記画像転送宛先として指定された履歴情報に含まれる前記種別情報が前記第２種別を示す場合には前記第３転送手段にそれぞれ画像転送を実行させる転送方法選択手段とを備えた。
【００２０】
このような手段を講じたことにより、画像転送宛先として履歴記憶手段に記憶された履歴情報が指定された場合に、その指定された履歴情報に含まれる種別情報が第１種別を示す場合、指定受付手段により受け付けられた指定により示された条件が成立するならば第１転送手段により、また前記前記指定受付手段により受け付けられた指定により示された条件が成立しないならば第２転送手段により、また前記画像転送宛先として指定された履歴情報に含まれる前記種別情報が前記第２種別を示す場合には第３転送手段によりそれぞれ画像転送が実行される。従って、ユーザが事前に能力情報の取得を行うべき条件の指定を受付手段に受け付けさせておき、かつ画像転送宛先として履歴記憶手段に記憶された履歴情報を指定するようにすれば、第１転送手段、第２転送手段および第３転送手段のいずれかが適宜選択されて、その転送手段による画像転送が実行されるのであって、これらの転送手段の選択条件を画像転送毎にユーザが指定する必要が無い。
【００２１】
【発明の実施の形態】
以下、図面を参照して本発明の一実施形態につき説明する。
【００２２】
図１は本実施形態に係る画像転送装置を適用して構成されたディジタル複合機の要部構成を示すブロック図である。
【００２３】
この図において、符号１を付して示される部分が本実施形態のディジタル複合機である。そしてこのディジタル複合機１は、ＣＰＵ１１、ＲＯＭ１２、ＲＡＭ１３、情報記憶部１４、画像記憶部１５、符号化・復号化部１６、スキャナ１７、プリンタ１８、モデム１９、ＮＣＵ２０、電話機制御部２１、回線信号検出部２２、ＬＡＮインタフェース２３、操作・表示部２４および時計部２５を有してなる。
【００２４】
そして、ＣＰＵ１１、ＲＯＭ１２、ＲＡＭ１３、情報記憶部１４、画像記憶部１５、符号化・復号化部１６、スキャナ１７、プリンタ１８、モデム１９、ＮＣＵ２０、回線信号検出部２２、ＬＡＮインタフェース２３、操作・表示部２４および時計部２５は、システムバス２６を介して互いに接続されている。またＮＣＵ２０にはモデム１９および電話機制御部２１が、さらに電話機制御部２１には回線信号検出部２２がそれぞれ接続されている。
【００２５】
ＣＰＵ１１は、ＲＯＭ１２に格納された制御プログラムに基づいて各部を総括制御するための制御処理を行うことでディジタル複合機としての動作を実現する。
【００２６】
ＲＯＭ１２は、ＣＰＵ１１の制御プログラム等を記憶する。
【００２７】
ＲＡＭ１３は、ＣＰＵ１１が各種の処理を行うために必要となる各種の情報を記憶するためのワークエリアなどとして使用される。
【００２８】
情報記憶部１４は、例えばフラッシュメモリなどを用いてなり、各種の設定情報やその他の情報を記憶しておく。この情報記憶部１４の記憶領域の一部は、履歴情報記憶エリアおよび能力情報記憶エリアにそれぞれ設定されている。
【００２９】
履歴情報記憶エリアは過去に行った画像送信に関する履歴情報を記憶しておくものであって、例えば図２に示すように、送信日時、送信先のメールアドレス、ならびにその送信先の端末種別を互いに対応付けて記憶するようになっている。なお端末種別は、第１種別としてのインターネットファクシミリ端末および第２種別としてのパーソナルコンピュータ端末（ＰＣ）のいずれかとする。
【００３０】
能力情報記憶エリアは、例えば図３に示すように、メールアドレスに対応付けて、そのメールアドレスに該当する端末の能力情報を記憶する。
【００３１】
かくして情報記憶部１４は、履歴記憶手段および能力情報記憶手段としての機能を備えている。
【００３２】
画像記憶部１５は、例えば大容量のＤＲＡＭや、ハードディスク装置などを用いてなり、受信した画像データや送信待ちの画像データを一時的に記憶しておく。
【００３３】
符号化・復号化部１６は、画像データに対して冗長度圧縮のための符号化処理を施すとともに、冗長度圧縮のための符号化がなされている画像データの復号を行うものである。
【００３４】
スキャナ１７は、送信原稿の読取りを行って、その送信原稿を示す画像データを生成する。
【００３５】
プリンタ１８は、画像データが示す画像を記録用紙に対して印字する。
【００３６】
モデム１９は、画像データを変調してファクシミリ伝送信号を生成したり、ＣＰＵ１１から与えられるコマンドを変調してコマンド伝送信号を生成するものであり、これらの伝送信号をＮＣＵ２０を介してＰＳＴＮ加入者線２へと送出する。またモデム１９は、ＰＳＴＮ加入者線２を介して到来し、ＮＣＵ２０を介して与えられたファクシミリ伝送データを復調して画像データを再生したり、コマンド伝送信号を復調してコマンドを再生する。
【００３７】
ＮＣＵ２０には、ＰＳＴＮ３に収容されたＰＳＴＮ加入者線２が接続されている。そしてＮＣＵ２０は、この接続されたＰＳＴＮ加入者線２に関して、状態監視や網への発信処理などを行なう。またＮＣＵ２０は、ＰＳＴＮ加入者線２に対して送出するファクシミリ伝送信号の等化を図るとともに、レベルの設定を行う。
【００３８】
電話機制御部２１には、必要に応じて外部電話機４が接続される。そして電話機制御部２１は、接続された外部電話機４を使用してＰＳＴＮ加入者線２を介しての通話を行うことを可能とするための周知の制御処理を行う。
【００３９】
回線信号検出部２２は、ＰＳＴＮ加入者線２を介して到来する信号をＮＣＵ２０および電話機制御部２１を介して受け、所定の信号の到来を検出する。
【００４０】
ＬＡＮインタフェース２３には、ＬＡＮ回線５およびメールサーバ６を介してインターネット７が接続されている。そしてＬＡＮインタフェース２３は、ＬＡＮ回線５を介して、あるいはインターネット７を介してのデータ伝送を行う。
【００４１】
操作・表示部２４は、ユーザによるＣＰＵ１１に対する各種の指示入力を受け付けるためのキー入力部や、ユーザに対して報知すべき各種の情報をＣＰＵ１１の制御の下に表示するための表示部などを有する。
【００４２】
時計部２５は、計時動作を常時行い、現在時刻を示す現在時刻情報を出力する。
【００４３】
さて、ＣＰＵ１１がＲＯＭ１２に格納された制御プログラムに基づいて動作することで実現される制御手段としては、ディジタル複合機における周知の一般的なものに加えて、第１転送手段、第２転送手段、第３転送手段、指定受付手段および転送方法選択手段を有している。
【００４４】
ここで第１転送手段は、インターネットファクシミリ方式に準じ、かつ能力情報の通知要求を伴って画像転送を行う。
【００４５】
第２転送手段は、インターネットファクシミリ方式に準じ、かつ能力情報の通知要求を伴うことなく画像転送を行う。
【００４６】
第３転送手段は、インターネットファクシミリ方式に拘わらずにコンピュータ端末に対しての画像転送を行う
指定受付手段は、能力情報の取得に拘わる条件のユーザ指定を受け付ける。
【００４７】
そして転送方法選択手段は、履歴情報記憶エリアに記憶された履歴情報を指定しての画像転送が要求された場合に、その指定された履歴情報に含まれる端末種別および指定受付手段で受け付けられている条件とを考慮して送信方法を選択する。
【００４８】
次に以上のように構成されたディジタル複合機の動作につき説明する。なお、本実施形態のディジタル複写機は、複写機能、印刷機能、あるいはＧ３ファクシミリ機能などの機能も有しているが、それらを実現するための動作は従来よりあるディジタル複合機と同様であるので説明を省略し、ここではインターネットファクシミリ送信機能やネットワークスキャナ機能のための画像転送に係る動作について詳細に説明することとする。
【００４９】
まず、ユーザにより通信条件が指定されての画像転送などが行われた場合には、その画像転送に関する送信日時、宛先のメールアドレス、宛先端末の端末種別が情報記憶部１４の履歴情報記憶エリアに格納される。
【００５０】
このように情報記憶部１４の履歴情報記憶エリアに履歴情報が格納された状態にあっては、ＣＰＵ１１は新たな画像転送の宛先の指定として履歴情報の指定も受け付ける。そして画像転送の宛先の指定として履歴情報の指定がなされたならばＣＰＵ１１は、図４に示すような画像転送処理を開始する。
【００５１】
この画像転送処理においてＣＰＵ１１はまず、スキャナ１７に原稿の読み取りを行わせる（ステップＳＴ１）。なおここでスキャナ１７により生成される画像データは、画像記憶部１５に記憶しておく。
【００５２】
次にＣＰＵ１１は、指定された履歴情報に示される端末種別、すなわち今回の画像転送先端末の種別がインターネットファクシミリとなっているか否かを確認する（ステップＳＴ２）。ここで、該当する端末種別がインターネットファクシミリとなっていないならばＣＰＵ１１は、今回の宛先がパーソナルコンピュータ端末であると判定する。そして、今回の画像転送に対してユーザにより別途設定された条件（この条件設定がなされていないならばデフォルト条件）に適合するようにステップＳＴ１で得られた画像データをコンバートし（ステップＳＴ３）、このコンバート後の画像データを添付した通常の電子メールを送信する（ステップＳＴ４）。
【００５３】
これに対して、該当する端末種別がインターネットファクシミリとなっていること、すなわち今回の宛先がインターネットファクシミリ端末であることをステップＳＴ２にて確認したならばＣＰＵ１１は、続いて今回の宛先の端末がシンプルモードのみに対応するものであるか否かを確認する（ステップＳＴ５）。なおここでの確認は、別途なされるユーザ指定や、あるいは過去の画像転送における自動判定の結果に基づいて行うことが可能である。
【００５４】
ここで今回の宛先の端末がシンプルモードのみに対応するものであることが明らかである場合にＣＰＵ１１は、シンプルモードにて予め規定された条件に適合するようにステップＳＴ１で得られた画像データをコンバートし（ステップＳＴ６）、このコンバート後の画像データをシンプルモードでインターネットファクシミリ送信する（ステップＳＴ７）。
【００５５】
さて、今回の宛先の端末がフルモードにも対応するものであることが明らかである場合、あるいはフルモードに対応するか否かが不明である場合にＣＰＵ１１は、ステップＳＴ５にて今回の宛先の端末がシンプルモードのみに対応するものではないと判定する。そしてこの場合にＣＰＵ１１は続いて、指定された履歴情報に示されるメールアドレスに対応付けて能力情報が情報記憶部１４の能力情報記憶エリアに記憶されているか否かを確認する（ステップＳＴ８）。ここで、該当する能力情報が記憶されていないのであれば、今回の画像転送に対してユーザにより別途設定された条件（この条件設定がなされていないならばデフォルト条件）に適合するようにステップＳＴ１で得られた画像データをコンバートする（ステップＳＴ９）。
【００５６】
しかしながら、該当する能力情報が記憶されていることをステップＳＴ８にて確認したならばＣＰＵ１１は、今回の画像転送に対してユーザにより別途設定された条件（この条件設定がなされていないならばデフォルト条件）およびメールアドレスに対応付けられた能力情報が示す相手能力に適合するようにステップＳＴ１で得られた画像データをコンバートする（ステップＳＴ１０）。続いてこの場合にＣＰＵ１１は、能力情報の取得条件として常時取得が設定されているか否かを確認する（ステップＳＴ１１）。なお能力情報の取得条件は、全画像転送に対して共通の設定とされるものであって、常時取得を行うか否かをユーザが任意に選択できる。そして任意のタイミングでユーザにより行われる能力情報の取得条件の指定をＣＰＵ１１が受け付け、例えば情報記憶部１４に管理情報を格納しておくなどしておくのである。常時取得を行う設定は、宛先端末の能力情報が情報記憶部１４の能力情報記憶エリアに記憶されているか否かに拘わらずに常に能力情報の取得を試みる設定である。逆にこの常時取得を行わない設定は、宛先端末の能力情報が情報記憶部１４の能力情報記憶エリアに記憶されていない場合に限って能力情報の取得を試みる設定である。
【００５７】
そこで、この能力情報の取得条件として常時取得が設定されていないことをステップＳＴ１１にて確認したならばＣＰＵ１１は、ステップＳＴ１０にてコンバート後の画像データをフルモードで、かつ能力通知要求を伴わずにインターネットファクシミリ送信する（ステップＳＴ１２）。しかしながら、能力情報の取得条件として常時取得が設定されていることをステップＳＴ１１にて確認した場合、ならびに該当する能力情報が情報記憶部１４の能力情報記憶エリアに記憶されていないことをステップＳＴ８にて確認した場合にＣＰＵ１１は、ステップＳＴ１０またはステップＳＴ９にてコンバート後の画像データをフルモードで、かつ能力通知要求を伴ってインターネットファクシミリ送信する（ステップＳＴ１３）。
【００５８】
そして、ステップＳＴ４、ステップＳＴ７、ステップＳＴ１２またはステップＳＴ１３にて画像転送を行ったのちにはＣＰＵ１１は、今回の画像転送に関する履歴情報を作成して、この履歴情報を情報記憶部１４の履歴情報記憶エリアに格納する。そしてＣＰＵ１１は、これをもって今回の画像転送処理を終了する。
【００５９】
さて、以上のようにフルモードで、かつ能力通知要求を伴ってインターネットファクシミリ送信を行ったならば、宛先がフルモードに対応したインターネットファクシミリ端末であるならば、その端末から能力／送達通知の電子メールが返送されてくる。そこでＣＰＵ１１は、このような能力／送達通知の電子メールが到来した場合には、この電子メールから能力情報を抽出して、これを情報記憶部１４の能力情報記憶エリアに格納する。このようにして、相手方の能力情報が取得され、この能力情報は以後における画像転送の際に利用される。
【００６０】
以上のように本実施形態によれば、過去に行った画像転送の際に任意の方法で判明した相手端末の端末種別をメールアドレスに対応付けて履歴情報として記憶しておき、新たな画像転送の際にこの履歴情報の指定によりその履歴情報に含まれたメールアドレスを宛先として指定することを可能とする。また、能力情報の取得条件、すなわち宛先端末の能力情報が情報記憶部１４の能力情報記憶エリアに記憶されているか否かに拘わらずに常に能力情報の取得を試みるか、あるいは宛先端末の能力情報が情報記憶部１４の能力情報記憶エリアに記憶されていない場合に限って能力情報の取得を試みるかのユーザ指定を受け付けておく。そしてこのように履歴情報の指定により宛先の指定がなされた場合には、当該指定された履歴情報に含まれる端末種別と能力情報の取得条件とに基づいて、画像転送の条件を自動決定し、その決定した条件での画像転送を行う。従って、ユーザは、事前に能力情報の取得条件を設定しておけば、過去に画像転送を行ったのと同一の宛先に対する画像転送に当っては細かな条件の設定を画像転送の毎に行う必要が無く、ユーザの負担が大幅に軽減される。
【００６１】
なお本発明は上記実施形態に限定されるものではない。例えば上記実施形態では、第２モードとして、能力通知要求を伴わないフルモードを用いるようにしているが、例えばシンプルモードのような能力通知要求を行わない他のモードを第２モードとして設定することも可能である。
【００６２】
また上記実施形態では、本発明をディジタル複合機に適用した例を示しているが、例えば画像転送の機能のみを有した装置などのような別の形態の装置としても実現可能である。
【００６３】
また上記実施形態では、ＩＴＵ−Ｔで規定されたインターネットファクシミリ方式を使用することとしているが、独自に定めた方式などのような他のインターネットファクシミリ方式を利用する場合にも本発明の適用が可能である。
【００６４】
また上記実施形態では、能力情報の取得を行う条件として、常時取得を行うか否かを設定可能としているが、例えば能力情報が有る場合に所定の期間毎の取得を行うか否かを設定可能とするなど、別の条件を採用することも可能であり。
【００６５】
このほか、本発明の要旨を逸脱しない範囲で種々の変形実施が可能である。
【００６６】
【発明の効果】
本発明によれば、画像転送宛先として履歴記憶手段に記憶された履歴情報が指定された場合に、その指定された履歴情報に含まれる種別情報が第１種別を示す場合、指定受付手段により受け付けられた指定により示された条件が成立するならば第１転送手段により、また前記前記指定受付手段により受け付けられた指定により示された条件が成立しないならば第２転送手段により、また前記画像転送宛先として指定された履歴情報に含まれる前記種別情報が前記第２種別を示す場合には第３転送手段によりそれぞれ画像転送を実行することとしたので、ユーザが事前に能力情報の取得を行うべき条件の指定を受付手段に受け付けさせておき、かつ画像転送宛先として履歴記憶手段に記憶された履歴情報を指定するようにすれば、第１転送手段、第２転送手段および第３転送手段のいずれかが適宜選択されて、その転送手段による画像転送が実行されるのであって、これらの転送手段の選択条件を画像転送毎にユーザが指定する必要が無く、この結果、適切な条件を自動判定し、その条件での画像転送を自動的に行うことでユーザの負担を大幅に軽減することができる画像転送装置となる。
【図面の簡単な説明】
【図１】本発明の一実施形態に係る画像転送装置を適用して構成されたディジタル複合機の要部構成を示すブロック図。
【図２】情報記憶部１４に設定された履歴情報記憶エリアの記憶データの一例を示す図。
【図３】情報記憶部１４に設定された能力情報記憶エリアの記憶データの一例を示す図。
【図４】図１中のＣＰＵ１１による画像転送処理の際の処理手順を示すフローチャート。
【符号の説明】
１…ディジタル複合機
２…加入者線
３…ＰＳＴＮ
４…外部電話機
５…ＬＡＮ回線
６…メールサーバ
７…インターネット
１１…ＣＰＵ
１２…ＲＯＭ
１３…ＲＡＭ
１４…情報記憶部
１５…画像記憶部
１６…符号化・復号化部
１７…スキャナ
１８…プリンタ
１９…モデム
２１…電話機制御部
２２…回線信号検出部
２３…ＬＡＮインタフェース
２４…操作・表示部
２５…時計部
２６…システムバス
【図１】
0004437875.tif 000002
【図２】
0004437875.tif 000003
【図３】
0004437875.tif 000004
【図４】
0004437875.tif 000005